(57)【要約】【課題】吸着部材の交換時期を誰でも容易に、かつ、低コストで直感的に把握できるようにすることで、吸着部材を置いている空間の環境を良好に維持する。【解決手段】収容部材３は、変色部材２の一部のみ外気に接触させて他の部分を覆っておくことができるように構成されている。変色部材２は、吸着部材３による物質の吸着力を発揮することができる期間が短くなればなるほど、変色した領域が広くなるように構成されている。【選択図】図４
2019012020.tif 000002
【特許請求の範囲】
【請求項１】
物質を吸着する吸着部材と、
上記吸着部材の交換時期を示すインジケータとを備えたインジケータ付吸着部材において、
上記インジケータは、上記物質と反応して変色する変色部材と、
上記物質を透過させない非透過部材からなり、上記変色部材を外部から視認可能に収容する収容部材とを備え、
上記収容部材は、上記変色部材の一部のみ外気に接触させて他の部分を覆っておくことが可能に構成され、
上記変色部材は、上記吸着部材による上記物質の吸着力を発揮することができる期間が短くなればなるほど、変色した領域が広くなるように構成されていることを特徴とするインジケータ付吸着部材。
【請求項２】
請求項１に記載のインジケータ付吸着部材において、
上記吸着部材による上記物質の吸着力を発揮することができる期間と、上記変色部材の変色した領域の広さとが対応していることを特徴とするインジケータ付吸着部材。
【請求項３】
請求項１または２に記載のインジケータ付吸着部材において、
上記変色部材は所定方向に長い形状とされ、
上記収容部材は、上記変色部材の長手方向一側のみ露出可能に構成されていることを特徴とするインジケータ付吸着部材。
【請求項４】
請求項１から３のいずれか１つに記載のインジケータ付吸着部材において、
上記収容部材には、上記変色部材の変色した領域の広さが上記吸着部材の交換時期に対応する広さとなったことを示す目印部が設けられていることを特徴とするインジケータ付吸着部材。
【請求項５】
請求項１から４のいずれか１つに記載のインジケータ付吸着部材において、
上記収容部材には、該収容部材の一部を他の部分から切除して上記変色部材の一部のみ露出させるための切り取り線が設けられていることを特徴とするインジケータ付吸着部材。
【請求項６】
請求項１から５のいずれか１つに記載のインジケータ付吸着部材において、
上記変色部材はシート状に形成され、
上記収容部材には、通気性を持った通気部材が上記変色部材と重なった状態で収容されていることを特徴とするインジケータ付吸着部材。
【請求項７】
請求項５に記載のインジケータ付吸着部材において、
上記収容部材の切除される部分には、上記吸着部材が吸着する物質名が表示される吸着物質表示部が設けられていることを特徴とするインジケータ付吸着部材。
【請求項８】
請求項１から５のいずれか１つに記載のインジケータ付吸着部材において、
上記収容部材は、上記吸着部材が吸着する物質毎に予め決められた色に着色される着色部が設けられていることを特徴とするインジケータ付吸着部材。
【請求項９】
物質を吸着する吸着部材と共に使用されるインジケータにおいて、
上記インジケータは、上記物質と反応して変色する変色部材と、
上記物質を透過させない非透過部材からなり、上記変色部材を外部から視認可能に収容する収容部材とを備え、
上記収容部材は、上記変色部材の一部のみ外気に接触させて他の部分を覆っておくことが可能に構成され、
上記変色部材は、上記吸着部材による上記物質の吸着力を発揮することができる期間が短くなればなるほど、変色した領域が広くなるように構成されていることを特徴とする吸着部材と共に使用されるインジケータ。
【発明の詳細な説明】
【技術分野】
【０００１】
本発明は、例えば有害物質等を吸着する吸着部材の交換時期を知らせるためのインジケータを備えた吸着部材及び吸着部材と共に使用されるインジケータに関し、特に、吸着部材が吸着する物質との反応を利用して交換時期を知らせることができるようにする技術分野に属する。
【背景技術】
【０００２】
例えば文化財を展示する展示ケースにおいては、収容されている文化財へ悪影響を与えるおそれのある有害物質（アンモニア、酢酸、ホルムアルデヒド等）の濃度が規定値以下になるように、展示空間の環境を整える必要がある。
【０００３】
展示ケース内の有害物質の濃度を既定値以下にするためには、一般に有害物質吸着部材が使用されることがある。吸着部材の有害物質吸着量には限界があり、限界を超える吸着は期待できないので、有害物質の吸着量が限界になった吸着部材は寿命に達したとして交換する必要がある。ところが吸着部材の寿命は現場で簡単に確認することができないため、吸着量に余裕があるのに吸着量とは関係無く設定された交換時期の到来によって交換されてしまったり、何らかの問題が生じるまで吸着性能が低下した吸着部材を使用し続けてしまうことが考えられる。前者の場合には吸着部材の性能を残した状態で廃棄することになるので無駄が出ることになり、後者の場合には文化財に悪影響が出てしまうおそれがある。
【０００４】
そこで、吸着部材の吸着性能がどれだけ低下したかを把握することが考えられるが、吸着性能を把握しようとすると、使用されている現場の吸着部材を回収して分析装置が置いてある所まで持って行って分析しなければならないが、そのような方法はコスト面で現実的ではない。
【０００５】
そこで、例えば特許文献１〜３に開示されているようなインジケータが考案されている。特許文献１のインジケータ付吸着シートは、酸素濃度が上昇すると変色する酸素検知剤と、酸素を吸収する脱酸素剤とを袋に封入することによって構成されており、袋の酸素透過率を調整することにより、酸素検知剤が変色する期間を、吸着シートが吸着力を発揮できる期間に合わせることで吸着シートの交換時期を知らせることができるようになっている。
【０００６】
特許文献２は、シリカの活性白土を含有する粒状吸着剤に３価鉄及び硫酸塩を付着させることでアンモニアを吸着すると同時に鉄イオンを生成させ、これにより吸着剤が乳白色から濃い茶色に変色して交換時期を知らせることができるようになっている。
【０００７】
特許文献３は、器具に形成された通気孔を通ったガスが除去材とスペーサを介して検知部材に吸着され、これにより検知部材が発色して検知した特定ガスの量を外部から確認することができるようになっている。
【先行技術文献】
【特許文献】
【０００８】
【特許文献１】特開２００５−１７２４４６号公報
【特許文献２】特許第４７０７３６６号公報
【特許文献３】特許第４４０９３６５号公報
【発明の概要】
【発明が解決しようとする課題】
【０００９】
ところで、特許文献１、２ではインジケータの色が変色することによって交換時期を知らせることができるものであるが、例えば特許文献１では酸素検知剤の全体の色が徐々に変化していくので、新品時の色が時間の経過と共に酸素検知剤から消えていき、その結果、新品時の色と現在の色とがどの程度異なっているのか分かり難い。特許文献２の場合も同様に吸着剤の全体が乳白色から濃い茶色に変色するので、新品時の色と現在の色とがどの程度異なっているのか分かり難い。特許文献３の場合もインジケータとして用いた場合には全体の色が一様に変化することになるので同様な問題が生じ得る。
【００１０】
新品時の色と現在の色との差が分からないと、そもそも交換時期であるのか否かが分からず、また交換時期までに余裕があるのか、あるいは交換時期がさし迫った状況にあるのか直感的に把握しづらいので、交換用の吸着部材を計画的に準備することができない。このことは特に管理担当者が吸着部材の使用途中で交替した場合等には顕著な問題となり、展示ケース内の環境を適切に維持することが難しくなるおそれがある。
【００１１】
また、特許文献１は、吸着部材の吸着量と酸素濃度の上昇とは直接関係がなく、有害物質の汚染度に対応した正しい交換時期を知らせることができるとは限らない。さらに、特許文献２は、吸着部材自体がインジケータ機能を持っており、例えば文化財を展示する展示ケース内の環境を良好に維持するために、吸着部材を大量に使用した場合、吸着部材自体が変色したときに展示の邪魔になり展示物と共に使用するのには適さない。
【００１２】
本発明は、かかる点に鑑みてなされたものであり、その目的とするところは、吸着部材の交換時期を誰でも容易に、かつ、低コストで直感的に把握できるようにすることで、吸着部材を置いている空間の環境を良好に維持することにある。
【課題を解決するための手段】
【００１３】
上記目的を達成するために、本発明では、吸着部材が吸着する物質との反応を利用したインジケータとし、インジケータの変色領域によって交換時期を知らせることができるようにした。
【００１４】
第１の発明は、物質を吸着する吸着部材と、上記吸着部材の交換時期を示すインジケータとを備えたインジケータ付吸着部材において、上記インジケータは、上記物質と反応して変色する変色部材と、上記物質を透過させない非透過部材からなり、上記変色部材を外部から視認可能に収容する収容部材とを備え、上記収容部材は、上記変色部材の一部のみ外気に接触させて他の部分を覆っておくことが可能に構成され、上記変色部材は、上記吸着部材による上記物質の吸着力を発揮することができる期間が短くなればなるほど、変色した領域が広くなるように構成されていることを特徴とする。
【００１５】
この構成によれば、例えば展示ケースの内部にインジケータ付吸着部材を置いておくことで、有害物質が吸着部材に吸着される。また、インジケータの変色部材には、外気に接触する一部にのみ、有害物質が直接接触することになり、収容部材で覆われている部分には有害物質が直接接触しない。従って、変色部材における有害物質が接触した部分が早期に変色し、収容部材で覆われている部分は遅れて変色することになる。このように、時間の経過によって変色部材の一部から他の部分に徐々に有害物質が入り込んでいくことで、変色部材の変色した領域が広がっていく。
【００１６】
よって、従来例のように検知剤の全体が一度に変色するのではなく、本発明では変色部材の一部が変色した後、その変色した領域が時間の経過とともに徐々に広がっていくことになるので、その領域の広さが狭ければ吸着部材の交換までに余裕があると分かり、その領域の広さが広くなっていれば吸着部材の交換がさし迫っていると分かる。
【００１７】
尚、上記インジケータ付吸着部材は、展示ケースの内部以外にも、各種書籍、書類、美術品、衣装、器具、楽器等が収容されているケースの内部に置いて使用することができる。
【００１８】
第２の発明は、第１の発明において、上記吸着部材による上記物質の吸着力を発揮することができる期間と、上記変色部材の変色した領域の広さとが対応していることを特徴とする。
【００１９】
この構成によれば、変色部材の変色領域の広さを把握することで、吸着部材の吸着力を発揮可能な残りの期間をおよそ把握することが可能になる。
【００２０】
第３の発明は、第１または２の発明において、上記変色部材は所定方向に長い形状とされ、上記収容部材は、上記変色部材の長手方向一側のみ露出可能に構成されていることを特徴とする。
【００２１】
この構成によれば、変色部材が長手方向一側から他側に向けて徐々に変色することになるので、変色部材の色がレベルゲージのように変化することになり、変色した領域が見やすくなる。
【００２２】
第４の発明は、第１から３のいずれか１つの発明において、上記収容部材には、上記変色部材の変色した領域の広さが上記吸着部材の交換時期に対応する広さとなったことを示す目印部が設けられていることを特徴とする。
【００２３】
この構成によれば、変色部材の変色した領域の広さが徐々に広がっていき、その広さが吸着部材の交換時期に対応する広さになると、目印部によって吸着部材の交換時期であることが分かる。
【００２４】
第５の発明は、第１から４のいずれか１つの発明において、上記収容部材には、該収容部材の一部を他の部分から切除して上記変色部材の一部のみ露出させるための切り取り線が設けられていることを特徴とする。
【００２５】
この構成によれば、収容部材の切り取り線に沿って該収容部材の一部を切り取ることで変色部材の一部のみを容易に露出させて外気に接触させることが可能になる。
【００２６】
第６の発明は、第１から５のいずれか１つの発明において、上記変色部材はシート状に形成され、上記収容部材には、通気性を持った通気部材が上記変色部材と重なった状態で収容されていることを特徴とする。
【００２７】
この構成によれば、例えば外部の有害物質を含んだ空気が通気部材を介して変色部材に達するので、変色部材において有害物質との反応感度が向上する。
【００２８】
第７の発明は、第５の発明において、上記収容部材の切除される部分には、上記吸着部材が吸着する物質名が表示される吸着物質表示部が設けられていることを特徴とする。
【００２９】
この構成によれば、吸着する物質名をインジケータの使用前に把握することができるので、誤った物質の吸着に使用されてしまうのが防止される。そして、インジケータの使用を開始するときには物質名が表示されている部分が切除されるので、例えば展示ケース等に設置する際に邪魔になることはない。
【００３０】
第８の発明は、第１から５のいずれか１つの発明において、上記収容部材は、上記吸着部材が吸着する物質毎に予め決められた色に着色される着色部が設けられていることを特徴とする。
【００３１】
この構成によれば、吸着する物質を色によって判別することか可能になるので、誤った物質の吸着に使用されてしまうのが防止される。
【００３２】
第９の発明は、物質を吸着する吸着部材と共に使用されるインジケータにおいて、上記インジケータは、上記物質と反応して変色する変色部材と、上記物質を透過させない非透過部材からなり、上記変色部材を外部から視認可能に収容する収容部材とを備え、上記収容部材は、上記変色部材の一部のみ外気に接触させて他の部分を覆っておくことが可能に構成され、上記変色部材は、上記吸着部材による上記物質の吸着力を発揮することができる期間が短くなればなるほど、変色した領域が広くなるように構成されていることを特徴とする。
【発明の効果】
【００３３】
第１の発明によれば、吸着部材によって吸着される物質と反応して変色する変色部材と、上記物質を透過させない非透過部材からなる収容部材とを備えており、変色部材の一部のみ外気に接触させることができるので、変色部材は吸着部材による物質の吸着力を発揮することができる期間が短くなればなるほど、変色した領域が広くなり、吸着部材の交換時期を誰でも容易に、かつ、低コストで直感的に把握できるので、吸着部材を置いている空間の環境を良好に維持することができる。
【００３４】
第２の発明によれば、吸着部材の吸着力を発揮可能な期間を、変色部材の変色領域の広さによって直感的に把握することができる。
【００３５】
第３の発明によれば、変色部材の長手方向一側のみ収容部材から露出させるようにしたので、変色した領域をより一層把握し易くすることができる。
【００３６】
第４の発明によれば、収容部材に設けた目印部によって吸着部材の交換時期を正確に把握することができる。
【００３７】
第５の発明によれば、収容部材の一部を容易に露出させることができる。
【００３８】
第６の発明によれば、吸着部材によって吸着される物質が空気に含まれている場合に、その空気を通気部材によって変色部材に導くことができる。これにより、反応感度を向上させることができる。
【００３９】
第７の発明によれば、使用前に吸着する物質名を把握することで誤った物質の吸着に使用されないようにすることができ、また、使用を開始するときには物質名が表示されている部分を切除するので邪魔になることはない。
【００４０】
第８の発明によれば、吸着部材が吸着する物質毎に予め決められた色に着色することで、誤った物質の吸着に使用されないようにすることができる。
【図面の簡単な説明】
【００４１】
【図１】本発明の実施形態に係るインジケータ付吸着部材の使用状態を示す図である。
【図２】インジケータの平面図である。
【図３】図２におけるIII−III線断面図である。
【図４】インジケータを切り取り線に沿って切断した状態を示す図２相当図である。
【図５】インジケータを切り取り線に沿って切断した状態を示す図３相当図である。
【図６】変色部材の形状例を示す図２相当図である。
【図７】吸着する有害物質の別の例を示す図２相当図である。
【図８】使用中のインジケータを示す図２相当図である。
【図９】通気部材を設けた場合を示す図３相当図である。
【図１０】通気部材を設けた場合を示す図５相当図である。
【図１１】試薬の量の変化及び通気部材の有無による変色部材の変色速さを示すグラフである。
【図１２】クリップ形状の切れ目を設けたインジケータを示す図である。
【図１３】クリップ形状の切れ目を設けたインジケータを吸着部材に取り付けた状態を示す図である。
【図１４】クリップ形状の切れ目を設けた別のインジケータを示す図である。
【図１５】クリップ形状の切れ目を設けた別のインジケータを吸着部材に取り付けた状態を示す図である。
【発明を実施するための形態】
【００４２】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００４３】
図１は、本発明の実施形態に係るインジケータ付吸着部材Ａの使用状態を示す図である。この図１では、インジケータ付吸着部材Ａが展示ケース１００の内部に置かれた状態で使用される場合について示している。展示ケース１００は、従来から周知のものであり、文化財、書籍、書類、美術品、衣装、器具、楽器等を収容することができるケースである。尚、本発明は、展示ケース１００の内部で使用されるのに限られるものではなく、図示しないが、例えば、収容ケース、保管ケース等の密閉又は一部が少しだけ開放されたケースの内部で使用することもできる。
【００４４】
インジケータ付吸着部材Ａは、物質を吸着する吸着部材２００と、吸着部材２００の交換時期を示すインジケータ１とを備えている。尚、図１では、吸着部材２００及びインジケータ１が見えやすいところに置いてある場合を示しているが、これに限らず、吸着部材２００及びインジケータ１を展示ケース１００の内部における見えにくい所に置くこともできる。
【００４５】
インジケータ付吸着部材Ａの使用例は上述した例に限られるものではなく、色々な使用形態がある。例えば、展示ケース１００の底面に吸着部材２００を配置し、その上にインジケータ１を配置するなど、吸着部材２００とインジケータ１が別々となっていてもよい。また、展示ケース１００の底面側に有害物質の発生源がある場合のように、展示ケース１００の底面全体に吸着部材２００を配置した場合には、インジケータ１が展示ケース１００の底面にも接するように、吸着部材２００の一部を切り欠いたり、切れ目を入れたり、または折ったりしてインジケータ１を配置することもできる。
【００４６】
また、図１２、図１４に示すようにインジケータ１の樹脂製シート４、５にクリップ形状の切れ目Ｃを設け、図１３、図１５に示すように、この切れ目Ｃに吸着部材２００の一部を差し込むことにより、インジケータ１を吸着部材２００に取り付けることもできる。このとき、樹脂製シート４、５における切れ目Ｃで囲まれた部分と、切れ目Ｃよりも上側部分及び下側部分とによって、吸着部材２００を厚み方向に挟持することができ、この挟持力は樹脂製シート４、５が持っている弾性によって得ることができる。これにより、インジケータ１の脱落を抑制できる。
【００４７】
また、壁面展示ケースなどの場合には、吸着部材２００を吊り下げておき、クリップ形状の切れ目Ｃを入れたインジケータ１を当該吸着部材２００に取り付けることもできる。
【００４８】
また、吸着部材２００に両面テープや接着剤を使用してインジゲータ１を貼り付けることもできるが、この場合、両面テープや接着剤とインジケータ１とが近接しているため、インジケータ１が両面テープや接着剤から放出された有害物質と反応して、インジケータ１の変色部材２の変色した領域の広さが、吸着部材２００の吸着力を発揮することができる期間とずれて、適切な交換時期を示さない可能性があり、吸着部材２００にインジケータ１を取付ける場合には、上述したようなクリップ形状の切れ目Ｃを設けたインジケータ１を使用することが望ましい。なお、インジケータ１に切れ目Ｃを設けて吸着部材２００に取り付ける場合は、図１３に示すように、変色部材２における第１目印部４４及び第２目印部４６近傍だけを吸着部材２００の表側に配置して容易に見えるようにしておき、変色部材２における外部への露出部分を吸着部材２００の裏側に隠すように配置することもできる。切れ目Ｃはスリット形状であってもよく、樹脂製シート４、５の一部を切り起こす形状であってもよい。
【００４９】
（吸着部材２００の構成）
吸着部材２００は、空気中の有害物質を吸着することができるものであればよく、材料は特に限定されるものではない。吸着部材２００は、シート状、フィルム状、フィルタ状であってもよいし、例えば、粒状、粉状、ゲル状等であってもよい。また、吸着部材２００は、図示しないが、通気性を有する容器に収容されていてもよい。吸着部材２００が吸着する有害物質は、例えば、アンモニア、酢酸、ホルムアルデヒド等である。これら有害物質は、例えば展示ケース１００に収容されている文化財等に悪影響を与えるおそれのある物質であり、このような有害物質を吸着部材２００が吸着することで、展示ケース１００に収容されている文化財等を良好な状態で長期間に亘って保存することが可能になる。
【００５０】
吸着部材２００を構成する物質（吸着剤）の例を挙げると、例えば、活性炭、添着活性炭、天然ゼオライト、合成ゼオライト、ゼオライト類似体、セピオライト、セピオライト類似体、シリカゲル、珪藻土、粘土、多孔質セラミック、銀、銅、鉄、チタン、カリウム、アルミニウム、亜鉛などの金属、これら金属化合物ならびに金属錯体等があり、これら吸着剤のうち、任意の１種の吸着剤または複数種の吸着剤を組み合わせて使用することができる。また、吸着剤の吸着官能基としては、例えばスルホン酸基、カルボン酸基、アミノ基等を挙げることができる。また、吸着部材２００を構成する吸着剤に吸着官能基を持たせた、いわゆるハイブリッドタイプの吸着部材であってもよい。
【００５１】
吸着部材２００は、不織布や布などの基材に、バインダーを用いて上記吸着剤を添着させた吸着シート、フィルム、又はフィルタ等であってもよい。また、表面改質により吸着官能基を基材に持たせてもよい。上記吸着シート、フィルム、又はフィルタを複数枚重ねて用いることや、蛇腹状に加工して用いることもできる。
【００５２】
また、吸着部材２００は、不織布や布などからなる２枚の基材の間に上記吸着剤を配置したパック状に構成されていてもよい。また、吸着部材２００は、ハニカム構造体に上記吸着剤を添着させた吸着フィルタ、または表面改質により吸着官能基をハニカム構造体に持たせてもよい。また、吸着部材２００は、上記吸着剤を添着させた糸、または表面改質により吸着官能基を持つ糸を使用した織物シートであってもよい。さらに、吸着部材２００は、上記吸着剤を練り込んだフィルム、または表面改質により吸着官能基を持たせたフィルムであってもよい。
【００５３】
（インジケータ１の構成）
インジケータ１は、吸着部材２００と一体化されていてもよいし、別体とされていて互いに離して配置することができるように構成されていてもよい。また、インジケータ１と吸着部材２００とは別々に調達して、インジケータ１を吸着部材２００と共に使用することもできる。
【００５４】
図２に示すように、インジケータ１は、上記有害物質と反応して変色する変色部材２と、有害物質を透過させない非透過部材からなり、変色部材２を外部から視認可能に収容する収容部材３とを備えている。
【００５５】
（変色部材２の構成）
まず、変色部材２について説明する。変色部材２は、所定方向に長い形状、例えば長方形のシート状に形成されており、通気性を持った部材からなる基材を備えている。変色部材２の基材を構成する部材としては、例えばろ紙、不織布、布等を挙げることができるが、これらに限られるものではない。変色部材２の基材の形状は、長方形以外にも、例えば、図６に示す三角形、図示しない長円形等であってもよいが、短径と長径、または短辺と長辺を有するような形状が好ましい。
【００５６】
変色部材２の変色進行の速さについては、例えば図１１のグラフ等に示すように、有害物質の濃度時間積分値が大きい方が、有害物質の濃度時間積分値が小さい方に比べて時間が経過するほど変色部材２の変色の長さの変化が小さくなるため、変色部材２の露出部分から遠い方を三角形の頂点とし、変色部材２の露出部分を広くすることで、変色部材２の有害物質との反応感度を向上させることも可能である。
【００５７】
変色部材２の変色原理は次のとおりである。まず、有害物質としての酢酸を吸着する吸着部材２００と共に使用されるインジケータ１の変色部材２の場合は、酸と塩基による中和反応を利用しており、従って、変色部材２の基材には、塩基試薬（アルカリ試薬）と、ｐＨ指示薬とが予め含浸されている。塩基試薬としては、例えば水酸化ナトリウムやメタ珪酸ナトリウム等を挙げることができる。この実施形態では、メタ珪酸ナトリウムを使用している。ｐＨ指示薬は、変色部材２のｐＨの変化を呈色反応で視覚的に示すために使用している。ｐＨ指示薬を含浸させていることで、変色部材２の初期の色は桃色であり、その桃色が中和反応によって黄色に変化する。
【００５８】
また、有害物質としてのアンモニアを吸着する吸着部材２００と共に使用されるインジケータ１の変色部材２の場合は、酢酸を吸着する場合と同様に中和反応を利用しており、従って、変色部材２の基材には、酸性試薬と、ｐＨ指示薬とが予め含浸されている。酸性試薬としては、例えば硫酸やリン酸等を挙げることができる。この実施形態では、リン酸を使用している。ｐＨ指示薬は、変色部材２のｐＨの変化を呈色反応で視覚的に示すために使用している。ｐＨ指示薬を含浸させていることで、変色部材２の初期の色は淡桃色であり、その淡桃色が中和反応によって淡黄色に変化する。
【００５９】
また、有害物質としてのホルムアルデヒドを吸着する吸着部材２００と共に使用されるインジケータ１の変色部材２の場合は、反応試薬としてリン酸ヒドロキシルアミン等を使用することができる。このリン酸ヒドロキシルアミンとｐＨ指示薬とを変色部材２の基材に予め含浸させておけばよい。
【００６０】
次に、変色部材２の基材について具体的に説明する。変色部材２の基材は、セルロースろ紙で構成することができる。変色部材２の基材の厚さは０．２２ｍｍとされている。変色部材２の基材の幅は７ｍｍ、長さは２０ｍｍとされている。これが寸法は一例であり、本発明を限定するものではない。
【００６１】
後述するが、変色部材２は一部が切り取られてから使用される。このとき切り取られる変色部材２の基材は、５ｍｍ程度に設定することができる。また、変色部材２の基材を構成するろ紙の種類、厚さを変更することで、後述する変色の速さを変えることができる。
【００６２】
（収容部材３の構成）
次に、収容部材３の構成について説明する。図３にも示すように、収容部材３は、表側樹脂製シート４及び裏側樹脂製シート５とで構成されている。表側樹脂製シート４及び裏側樹脂製シート５の材料は同じものであり、例えば無色透明なポリエステルフィルム等を用いることができるが、これに限られるものではなく、各種樹脂製シートを用いることができる。表側樹脂製シート４及び裏側樹脂製シート５の色は、変色部材２の呈色反応、即ち、色の変化をはっきりと見るためには無色透明が好ましいが、これに限られるものではなく、変色部材２の色の変化を見ることが可能な程度に着色されていてもよい。また、表側樹脂製シート４及び裏側樹脂製シート５の厚さは、変色部材２の厚さより薄くてもよい。
【００６３】
表側樹脂製シート４及び裏側樹脂製シート５の大きさは同じであり、共に変色部材２の大きさよりも大きく設定されている。具体的には、図２に示すように、表側樹脂製シート４及び裏側樹脂製シート５は長方形であり、その長辺方向の寸法は、変色部材２の長辺方向の寸法よりも長く設定されている。
【００６４】
また、図３に示すように、変色部材２は、表側樹脂製シート４及び裏側樹脂製シート５の間に挟まれた状態で保持されている。変色部材２は、いわゆるラミネートシートで覆われた状態になっている。すなわち、表側樹脂製シート４及び裏側樹脂製シート５の間に変色部材２を配置した後、外部から熱を加えて圧着することで表側樹脂製シート４及び裏側樹脂製シート５を溶着し、これにより、変色部材２が所定位置から動かないように、表側樹脂製シート４及び裏側樹脂製シート５と一体化される。この状態では、変色部材２の全体が表側樹脂製シート４及び裏側樹脂製シート５により覆われるので、有害物質が変色部材２に接触することはない。また、表側樹脂製シート４及び裏側樹脂製シート５は、変色部材２の表面及び裏面にそれぞれ密着していて、表側樹脂製シート４と変色部材２の表面との間、及び、裏側樹脂製シート５と変色部材２の裏面との間には空気が殆ど入らないようになっている。
【００６５】
この実施形態の説明では、図２及び図３に示すようにインジケータ１の上下方向及び左右方向を定義するが、これは説明の便宜を図るために定義するのであり、本発明及び実施形態のインジケータ１の使用方向を限定するものではない。例えば、図２及び図３に示す上下が逆になるようにしてインジケータ１を使用することもできるし、図２及び図３に示す左右が逆になるようにしてインジケータ１を使用することもできる。
【００６６】
図２及び図３の定義に従うと、変色部材２の長辺方向（長手方向）はインジケータ１の上下方向となり、変色部材２の短辺方向はインジケータ１の左右方向となる。また、表側樹脂製シート４及び裏側樹脂製シート５の長辺方向（長手方向）はインジケータ１の左右方向となり、表側樹脂製シート４及び裏側樹脂製シート５の短辺方向はインジケータ１の上下方向となる。
【００６７】
表側樹脂製シート４には、左右方向中央部よりも左側寄りに上下方向に延びる第１境界線４ａがあると想定する。第１境界線４ａは仮想的なものである。そして、表側樹脂製シート４における第１境界線４ａよりも左側の領域は、変色部材２が配置される変色部材配置領域４０とされている。変色部材２は、変色部材配置領域４０の略中央部に配置されている。
【００６８】
変色部材配置領域４０には、変色部材２の右辺に隣接して右側透光部４７が設けられるとともに、変色部材２の左辺に隣接して左側透光部４８が設けられている。右側透光部４７及び左側透光部４８は無色透明であり、それぞれ、変色部材２の右辺及び左辺に沿って上下方向に延びる矩形状をなしている。右側透光部４７及び左側透光部４８の上下方向の寸法は、変色部材２の上下方向の寸法よりも短くなっており、右側透光部４７及び左側透光部４８は変色部材２の上下方向の中間部に対応する部分にのみ設けられている。
【００６９】
変色部材配置領域４０は、本発明の着色部であり、吸着部材２００が吸着する物質毎に予め決められた色に着色されている。ただし、変色部材配置領域４０の全体が着色されているのではなく、変色部材配置領域４０内における右側透光部４７、左側透光部４８及び変色部材２が配置されている部分は着色されていない。よって、変色部材２が配置されている部分は無色透明であり、外部から容易に視認することが可能になる。
【００７０】
変色部材配置領域４０の色としては、例えば吸着部材２００が吸着する有害物質が酸であれば「赤」にし、アンモニアであれば「青」にすることができる。有害物質と色との関係は一例であり、これに限定されるものではないが、吸着部材２００が吸着する有害物質毎に予め定められた色にしておくことで、使用者が使用開始時や使用中に迷いにくくなる。
【００７１】
表側樹脂製シート４には、切り取り線４２が設けられている。切り取り線４２は、収容部材３の一部を他の部分から切除して変色部材２の一部のみ露出させて外気に接触させるためのものであり、詳細は後述するが、収容部材３における切り取り線４２よりも下側の部分が、切除される部分となっている。切除する際には、表側樹脂製シート４の一部だけではなく、裏側樹脂製シート５の一部も切除されることになる。
【００７２】
切り取り線４２は、左右方向に延びており、切り取り線４２の右端部は表側樹脂製シート４の右端部に達し、切り取り線４２の左端部は表側樹脂製シート４の左端部に達している。切り取り線４２は、変色部材２の下端部から５ｍｍ程度上に離れた所にあるので、変色部材２の下部も表側樹脂製シート４と一緒に切除されることになる。切り取り線４２の色は、変色部材配置領域４０の色と同じすることができるが、変色部材配置領域４０においても切り取り線４２を視認することができるように、変色部材配置領域４０においては変色部材配置領域４０の色とは異なる色とされている。
【００７３】
表側樹脂製シート４には、収容部材３の切除される部分に、吸着部材２００が吸着する物質名が表示される吸着物質表示部４５が設けられている。図２では、吸着部材２００が酢酸を吸着する場合を示しており、吸着物質表示部４５には「酢酸」と表示されている。図７では、吸着部材２００がアンモニアをする場合を示しており、吸着物質表示部４５には「アンモニア」と表示されている。吸着物質表示部４５に記載される文字の色は、変色部材配置領域４０の色と同じにすることができる。また、この図７に示すように吸着物質がアンモニアの場合には、変色部材配置領域４０の色が図２に示す酢酸の場合とは異なる色とされている。吸着物質がアンモニアの場合と酢酸の場合とで変色部材配置領域４０の色を同じにしてもよい。
【００７４】
吸着物質表示部４５を切り取り線４２よりも下側に設けているので、切り取り線４２に沿って収容部材３の下側を切除すると、吸着物質表示部４５も切除されることになる。よって、使用中において吸着物質表示部４５が邪魔になることはない。
【００７５】
表側樹脂製シート４には、切り取り線４２よりも上でかつ第１境界線４ａよりも右側の領域に、使用者が例えば文字やマーク等を記入することが可能な記入領域４１が設けられている。記入領域４１は無色透明とされているが、白色等に着色されていてもよい。記入領域４１には、例えばインジケータ１の使用開始年月日等を記入することができる。
【００７６】
表側樹脂製シート４には、変色部材２の変色した領域の広さが吸着部材２００の交換時期に対応する広さとなったことを示す第１目印部４４及び第２目印部４６が設けられている。第１目印部４４は、例えば三角形等の形状にすることができる。第２目印部４６は、第１目印部４４とは異なる形状、例えば直線等の形状にすることができる。第２目印部４６は、表側樹脂製シート４における変色部材２の上端部から５ｍｍ程度下に離れた所にあり、左右方向に延びている。第１目印部４４は、変色部材２から離れた所、即ち、記入領域４１に設けられており、その頂部が、第２目印部４６の端に向くように配置されている。
【００７７】
（変色部材２の色の変化）
次に、変色部材２の色の変化について詳しく説明する。インジケータ１の使用を開始する際には、収容部材３の切り取り線４２に沿って当該収容部材３の切り取り線４２よりも下側の部分を切除する。すると、切り取り線４２が変色部材２の下端部から上に離れているので、変色部材２の下側（長手方向一側）のみが切断面から収容部材３の外部に露出する。これにより、変色部材２の一部のみ収容部材３から露出させて他の部分を収容部材３で覆っておくことが可能になる。
【００７８】
インジケータ１を空気中に置いておくと、変色部材２の下側のみが露出しているので、空気が変色部材２の下側のみに接触することになる。空気中に酢酸が含まれている場合には、酢酸が変色部材２の塩基試薬と中和反応する。使用開始後、間もない頃は、変色部材２の下側に含浸されている塩基試薬と中和反応するだけであり、それよりも上に達する酢酸は殆ど無いので変色部材２の下側の試薬のみが中和し、これによりｐＨ指示薬の色が変化する。このｐＨ指示薬の色の変化は外部から視認可能であるため、図８に示すように、変色部材２の下側のみ変色したことを見ることができる。
【００７９】
変色部材２が通気性を持っているので空気が変色部材２の上側に向けて流れていく。使用開始後、時間が経過すると、変色部材２の下側の試薬の中和が進み、空気中に含まれる酢酸が変色部材２の中間部に達して変色部材２の中間部に含浸している試薬と中和反応し、変色部材２の中間部が変色する。このようにして、変色部材２が下側から中間部、上側に向けて色が変化していくので、変色した領域が時間の経過と共に次第に広がることになる。
【００８０】
ここで、変色部材２の変色の進行度は、有害物質の濃度と、有害物質にばく露されている時間（ばく露時間）の積に比例する。変色部材２の変色の進行の速さは、変色部材２の基材の種類（通気性）や、試薬の基材への含浸量等により調整することができる。試薬を減らせば変色部材２の変色の進行の速さは速くなり、一方、試薬を増やせば変色部材２の変色の進行の速さを遅くすることができる。また、変色部材２の基材の通気性が高くなれば、変色部材２の変色の進行の速さは速くなり、一方、変色部材２の基材の通気性が低くなれば、変色部材２の変色の進行の速さを遅くすることができる。
【００８１】
この実施形態では、吸着部材２００による有害物質の吸着力を発揮することができる期間を予め調べておき、この吸着部材２００による有害物質の吸着力を発揮することができる期間と、変色部材２の変色した領域の広さとが対応するように、変色部材２の変色の進行の速さを設定している。
【００８２】
すなわち、例えば吸着部材２００による有害物質の吸着力を発揮することができる期間の半分が経過したときには、変色部材２の変色した領域が、切除後の変色部材２の全領域の半分となるように、変色部材２の変色の進行の速さを設定することができる。変色部材２の変色した領域は、変色部材２の変色した領域の上下方向の寸法としてもよい。
【００８３】
吸着部材２００による有害物質の吸着力を発揮することができる期間については、次のようにして調べることができる。例えば、密閉されたバッグ内に所定濃度の有害物質を充填するとともに、吸着部材２００とインジケータ１を収容しておき、バッグ内の有害物質の濃度変化を経時的に検出する。有害物質の濃度変化の検出を開始してから濃度変化が殆ど無くなるまでの時間が、吸着部材２００による有害物質の吸着力を発揮することができる期間になる。この期間と、変色部材２の色が下側から第１目印部４４及び第２目印部４６まで変化する期間とが同じになるように、変色部材２の変色の進行の速さを設定すればよい。
【００８４】
または、有害物質の濃度変化の検出を開始してから濃度変化が殆ど無くなるまでの時間が、吸着部材２００による有害物質の吸着力を発揮することができる期間になる。この期間と、変色部材２の色が下側から上端まで変化するのに要する期間とが同じになるように、変色部材２の変色の進行の速さを設定してもよい。そして、変色部材２の色が下側から第１目印部４４及び第２目印部４６まで変化する期間と、吸着部材２００による有害物質の吸着容量の７０％〜８０％に達した期間とが同じなるように、変色部材２の変色の進行の速さを設定してもよい。その場合に、第１目印部４４及び第２目印部４６とは別に、吸着部材２００による有害物質の吸着力を発揮できなくなる期間、すなわち吸着部材２００が吸着力を失い、吸着部材２００の使用限界を警告する目印を設けてもよい。
【００８５】
変色部材２の変色の進行の速さを速くする手段としては、図９及び図１０に示すように、収容部材３に、通気性を持った通気部材７を変色部材２と重ねた状態で収容する方法がある。通気部材７は、変色部材２の基材と同様な部材で構成することができる。通気部材７も変色部材２と同様に下側のみ収容部材３の外部に露出している。通気部材７が変色部材２と重なっていることで、空気が変色部材２の上側に流れ易くなる。これにより、変色部材２の上側に向かう有害物質の量が多くなるので、変色部材２の変色の進行の速さが速くなる。
【００８６】
変色部材２の変色の進行の速さについて図１１に示すグラフに基づいて説明する。図１１に示すグラフの横軸は、有害物質の濃度の時間積分値（ｐｐｍ・ｈｒ）であり、右側へ行くほど大きくなる。縦軸は、変色部材２の変色した部分の長さ（ｍｍ）であり、上側へ行くほど長くなる。変色部材２の変色した部分が長くなることは、変色部材２の変色の変色した領域が広くなることと同義である。
【００８７】
グラフ中、「試薬基準量」とは変色部材２の基材に含浸させた試薬が所定量である場合を示す。この所定量とは任意の量に設定することができる。「試薬  −４０％量」とは、「試薬基準量」における試薬のマイナス４０％（４割減）の量の試薬を変色部材２の基材に含浸させた場合である。「試薬基準量（通気部材有り）」とは、「試薬基準量」と同じ量の試薬を変色部材２の基材に含浸させ、かつ、図１０に示すように通気部材７を設けた場合である。
【００８８】
濃度の時間積分値を同じにして見たとき、「試薬基準量」の変色長さに対し、「試薬  −４０％量」の変色長さは長くなっている。また、「試薬基準量（通気部材有り）」では、他の場合に比べて変色長さが顕著に長くなっている。これは反応感度が大幅に向上したということである。このように、通気部材７があることによる効果は試薬の量を調整するのに比べて顕著に現れる。
【００８９】
（インジケータ１の製造方法）
次に、インジケータ１の製造方法について説明する。まず、変色部材２の基材となるろ紙を用意する。このろ紙は、基材を複数枚取ることができる大きなものであり、例えば１２ｃｍ四方の大きさとすることができる。また、含浸させる薬液を調製する。酢酸用の場合、０．５％メタ珪酸ナトリウム水溶液２６ｍｌと、０．１％ｐＨ指示薬溶液１０８ｍｌとの混合液を用意する。アンモニア用の場合、０．２％リン酸水溶液３６．６ｍｌと、０．０４％ｐＨ指示薬溶液１００ｍｌとの混合液を用意する。
【００９０】
上記ろ紙に上記薬液を含浸させ、未使用のろ紙を用いて余剰液を拭き取る。その後、デシケータ−にろ紙を入れて減圧乾燥し、乾燥後のろ紙をデシケータ−から取り出し、所望の大きさにカットして変色部材２の基材を得る。通気部材７を設ける場合には、上記薬液を含浸させていないろ紙を用意し、この薬液を含浸させていないろ紙と、上記薬液を含浸させたろ紙とをペーパークリンチを用いて綴じる。
【００９１】
次いで、変色部材２を表側樹脂製シート４及び裏側樹脂製シート５の間に配置して加熱することで表側樹脂製シート４及び裏側樹脂製シート５を貼り合わせるとともに、変色部材２を所定位置で保持する。
【００９２】
（実施形態の作用効果）
以上説明したように、この実施形態に係るインジケータ１を使用する場合には、切り取り線４２に沿って収容部材３の下側の一部を切除することで、収容部材３を開口させることができ、その開口から変色部材２の下側のみを露出させることができる。そして、例えば展示ケース１００の内部にインジケータ付吸着部材２００を置いておくことで、有害物質が吸着部材２００に吸着されていく。また、インジケータ１の変色部材２には、収容部材３から露出した一部にのみ、有害物質が直接接触することになり、収容部材３で覆われている部分には有害物質が直接接触しない。従って、変色部材２における有害物質が接触した部分が早期に変色し、収容部材３で覆われている部分は遅れて変色する。時間の経過により、有害物質が、変色部材２における収容部材３から露出した部分から他の部分に徐々に入り込んでいくことで、変色部材２の変色した領域が広がっていく。
【００９３】
よって、従来例のように検知剤の全体が一度に変色するのではなく、変色部材２の一部が変色した後、その変色した領域が時間の経過とともに徐々に広がっていくことになるので、その領域の広さが狭ければ吸着部材１００の交換までに余裕があると分かり、その領域の広さが広くなっていれば吸着部材１００の交換がさし迫っていると分かる。従って、吸着部材２００の吸着力を発揮可能な期間を、変色部材２の変色領域の広さによって直感的に把握することができる。
【００９４】
また、収容部材３に第１目印部４４及び第２目印部４６を設けているので、変色部材２の変色した領域が第１目印部４４及び第２目印部４６まで達した場合には、吸着部材２００が寿命であり、交換時期にあることが容易に分かる。従って、吸着部材２００の交換時期を誰でも容易に、かつ、低コストで直感的に把握できるので、吸着部材２００を置いている空間の環境を良好に維持することができる。
【００９５】
または、変色部材２の変色した領域が第１目印部４４及び第２目印部４６まで達した場合に、吸着部材２００による有害物質の吸着容量の７０％〜８０％に達した期間になるように、変色部材２の変色の進行の速さを設定してもよい。こうすることで、吸着性能が低下し、環境に悪影響が出てしまう前に、適切に吸着剤２００を交換することができる。
【００９６】
（その他の実施形態）
上述の実施形態はあらゆる点で単なる例示に過ぎず、限定的に解釈してはならない。さらに、特許請求の範囲の均等範囲に属する変形や変更は、全て本発明の範囲内のものである。
【００９７】
上記実施形態では、収容部材３の一部を切り取ることによって変色部材２の一部を露出させるようにしたが、これに限らず、収容部材３に孔や切欠部を形成して変色部材２の一部を露出させるようにしてもよい。また、収容部材３の一部を有害物質透過性フィルムで構成しておき、使用前には有害物質透過性フィルムを、有害物質非透過性フィルムで覆っておき、使用開始時に有害物質非透過性フィルムを剥離するようにしてもよい。この場合も、変色部材２の一部のみ外気に接触させて他の部分を覆っておくことが可能になる。
【産業上の利用可能性】
【００９８】
以上説明したように、本発明は、例えば展示ケースの内部に置いて使用することができる。
【符号の説明】
【００９９】
１              インジケータ
２              変色部材
３              収容部材
７              通気部材
４０            変色部材配置領域（着色部）
４２            切り取り線
４４            第１目印部
４５            吸着物質表示部
４６            第２目印部
１００          展示ケース
２００          吸着部材
【図１】
2019012020.tif 000003
【図２】
2019012020.tif 000004
【図３】
2019012020.tif 000005
【図４】
2019012020.tif 000006
【図５】
2019012020.tif 000007
【図６】
2019012020.tif 000008
【図７】
2019012020.tif 000009
【図８】
2019012020.tif 000010
【図９】
2019012020.tif 000011
【図１０】
2019012020.tif 000012
【図１１】
2019012020.tif 000013
【図１２】
2019012020.tif 000014
【図１３】
2019012020.tif 000015
【図１４】
2019012020.tif 000016
【図１５】
2019012020.tif 000017